(57)【要約】 【課題】読影医に読影対象を通知するための紙の伝票の作成、ＰＣ上で読影オーダを作成するためのユーザ操作等の手間を無くす。【解決手段】読影オーダ生成装置５０は、撮影オーダ情報に含まれる患者情報及び検査情報を取得するための取得要求をＲＩＳ２０に送信し、ＲＩＳ２０から患者情報及び検査情報を取得する。そして、読影オーダ生成装置５０は、当該取得した患者情報及び検査情報に基づき、読影オーダ情報を生成し読影端末６０に送信する。【選択図】図１
2009089722.tif 000002
【特許請求の範囲】
【請求項１】
撮影オーダ情報を記憶する記憶手段を有し、外部からの要求に応じて前記撮影オーダ情報に含まれる患者情報及び／又は検査情報を送信する外部機器と、読影オーダ生成装置と、読影端末とが通信ネットワークを介してデータ通信可能に接続された医用画像システムであって、
前記読影オーダ生成装置は、
前記外部機器に対して患者情報及び／又は検査情報の取得要求を送信する取得要求送信手段と、
前記外部機器から送信される患者情報及び／又は検査情報を取得する取得手段と、
前記取得された患者情報及び／又は検査情報に基づいて、前記撮影オーダ情報に従って検査対象患者を撮影した医用画像の読影を依頼する読影オーダ情報を生成する読影オーダ情報生成手段と、
前記生成された読影オーダ情報を前記読影端末に送信する読影オーダ情報送信手段と、
を備える医用画像システム。
【請求項２】
前記読影オーダ情報生成手段は、前記取得手段により取得された患者情報及び／又は検査情報に基づいて、前記読影オーダ情報の緊急度、読影医師又はワークアイテムを設定する、
請求項１に記載の医用画像システム。
【請求項３】
外部機器に対して撮影オーダ情報に含まれる患者情報及び／又は検査情報の取得要求を送信する取得要求送信手段と、
前記外部機器から送信される患者情報及び／又は検査情報を取得する取得手段と、
前記取得された患者情報及び／又は検査情報に基づいて、前記撮影オーダ情報に従って検査対象患者を撮影した医用画像の読影を依頼する読影オーダ情報を生成する読影オーダ情報生成手段と、
前記生成された読影オーダ情報を読影端末に送信する読影オーダ情報送信手段と、
を備える読影オーダ生成装置。
【請求項４】
前記読影オーダ情報生成手段は、前記取得手段により取得された患者情報及び／又は検査情報に基づいて、前記読影オーダ情報の緊急度、読影医師又はワークアイテムを設定する、
請求項３に記載の読影オーダ生成装置。
【請求項５】
コンピュータを、
外部機器に対して撮影オーダ情報に含まれる患者情報及び／又は検査情報の取得要求を送信する取得要求送信手段、
前記外部機器から送信される患者情報及び／又は検査情報を取得する取得手段、
前記取得された患者情報及び／又は検査情報に基づいて、前記撮影オーダ情報に従って検査対象患者を撮影した医用画像の読影を依頼する読影オーダ情報を生成する読影オーダ情報生成手段、
前記生成された読影オーダ情報を読影端末に送信する読影オーダ情報送信手段、
として機能させるためのプログラム。
【発明の詳細な説明】
【技術分野】
【０００１】
本発明は、医用画像システム、読影オーダ生成装置及びプログラムに関する。
【背景技術】
【０００２】
近年、医療の分野では、患者を撮影した医用画像のデジタル化が実現されている。例えば、ＣＲ（Computed Radiography）装置、ＣＴ（Computed Tomography）装置、ＭＲＩ（Magnetic Resonance Imaging）装置等の画像生成装置（モダリティ）により撮影され、デジタル化された医用画像は、患者情報や検査情報等とともにＰＡＣＳ（Picture Archiving and Communication System）に保存され、管理されている。これに伴い、フィルムに出力された画像からモニタに表示された画像へと、医師による画像診断の対象が移行してきている。
【０００３】
ところで、撮影装置の種類も増え、より高解像度の画像が得られる等、技術の進歩により、医師の診断においても、より高度な専門性が要求されてきている。また、撮影される画像量が多くなってきているため、臨床医が患者と対面しながら画像診断をすることは困難である。そのため、大規模な病院では、読影専門の医師（読影医）が画像を診断し、読影レポート（報告書）を作成し、その結果に基づいて、臨床医が病名診断を行う場合が多い。読影医に読影対象を通知する際には、紙の伝票を渡すか、撮影時に電子カルテやオーダリングシステムを通じて、読影レポートを作成するレポートシステムに読影オーダを送る必要があった。
【０００４】
例えば、ＲＩＳが読影オーダの発行を行い、読影レポートサーバが当該読影オーダを格納し、読影レポート作成装置が読影レポート作成の進捗状況（未読影、読影中、既読影）、検査が確定診断待ちの状態にあるか否かを表示する技術が提案されている（特許文献１参照）。
【特許文献１】特開２００７−９４５１５号公報
【発明の開示】
【発明が解決しようとする課題】
【０００５】
しかし、読影医に読影対象を通知するための紙の伝票の作成、ＰＣ上で読影オーダを作成するためのユーザ操作等は、診断医にとって手間のかかる作業であった。そして、読影オーダを使用したレポートシステムは、大規模な病院以外で普及しているとは言い難く、診断医は、読影医に読影対象を通知するための紙の伝票の作成を強いられていた。
【０００６】
本発明は、上述したような課題に鑑みて為されたものであり、その目的とするところは、読影医に読影対象を通知するための紙の伝票の作成、ＰＣ上で読影オーダを作成するためのユーザ操作等の手間を無くすことである。
【課題を解決するための手段】
【０００７】
上記の課題を解決するために、請求項１に記載の発明は、
撮影オーダ情報を記憶する記憶手段を有し、外部からの要求に応じて前記撮影オーダ情報に含まれる患者情報及び／又は検査情報を送信する外部機器と、読影オーダ生成装置と、読影端末とが通信ネットワークを介してデータ通信可能に接続された医用画像システムであって、
前記読影オーダ生成装置は、
前記外部機器に対して患者情報及び／又は検査情報の取得要求を送信する取得要求送信手段と、
前記外部機器から送信される患者情報及び／又は検査情報を取得する取得手段と、
前記取得された患者情報及び／又は検査情報に基づいて、前記撮影オーダ情報に従って検査対象患者を撮影した医用画像の読影を依頼する読影オーダ情報を生成する読影オーダ情報生成手段と、
前記生成された読影オーダ情報を前記読影端末に送信する読影オーダ情報送信手段と、
を備える。
【０００８】
請求項２に記載の発明は、請求項１に記載の発明において、
前記読影オーダ情報生成手段は、前記取得手段により取得された患者情報及び／又は検査情報に基づいて、前記読影オーダ情報の緊急度、読影医師又はワークアイテムを設定する。
【０００９】
請求項３に記載の読影オーダ生成装置は、
外部機器に対して撮影オーダ情報に含まれる患者情報及び／又は検査情報の取得要求を送信する取得要求送信手段と、
前記外部機器から送信される患者情報及び／又は検査情報を取得する取得手段と、
前記取得された患者情報及び／又は検査情報に基づいて、前記撮影オーダ情報に従って検査対象患者を撮影した医用画像の読影を依頼する読影オーダ情報を生成する読影オーダ情報生成手段と、
前記生成された読影オーダ情報を読影端末に送信する読影オーダ情報送信手段と、
を備える。
【００１０】
請求項４に記載の発明は、請求項３に記載の発明において、
前記読影オーダ情報生成手段は、前記取得手段により取得された患者情報及び／又は検査情報に基づいて、前記読影オーダ情報の緊急度、読影医師又はワークアイテムを設定する。
【００１１】
請求項５に記載のプログラムは、
コンピュータを、
外部機器に対して撮影オーダ情報に含まれる患者情報及び／又は検査情報の取得要求を送信する取得要求送信手段、
前記外部機器から送信される患者情報及び／又は検査情報を取得する取得手段、
前記取得された患者情報及び／又は検査情報に基づいて、前記撮影オーダ情報に従って検査対象患者を撮影した医用画像の読影を依頼する読影オーダ情報を生成する読影オーダ情報生成手段、
前記生成された読影オーダ情報を読影端末に送信する読影オーダ情報送信手段、
として機能させる。
【発明の効果】
【００１２】
請求項１、３、５に記載の発明によれば、患者情報及び／又は検査情報に基づいて読影オーダ情報を自動的に生成するので、読影医に読影対象を通知するための紙の伝票の作成、ＰＣ上で読影オーダを作成するためのユーザ操作等の手間を無くすことができる。また、ネットワーク断線等のトラブルが起きた場合でも、前記ユーザ操作等の手間を無くすことができる。
【００１３】
請求項２、４に記載の発明によれば、緊急度、読影医師又はワークアイテムを設定することにより、より詳細な読影オーダ情報を生成することができる。
【発明を実施するための最良の形態】
【００１４】
以下、図面を参照して、本発明に係る医用画像システムの一実施形態について説明する。
【００１５】
図１に、医用画像システム１００のシステム構成を示す。図１に示すように、医用画像システム１００は、電子カルテ端末１０と、ＲＩＳ（Radiological Information System：放射線情報システム）２０と、モダリティ３０と、画像サーバ４０と、読影オーダ生成装置５０と、読影端末６０とから構成されており、各装置は通信ネットワークＮを介して、データ通信可能に接続されている。
【００１６】
電子カルテ端末１０は、電子カルテを作成する電子カルテ機能を有し、患者の病状や診断結果を保存する。電子カルテ端末１０は、臨床医の指示入力に基づいて、患者の撮影を依頼するための撮影オーダ情報を生成し、ＲＩＳ２０に送信する。撮影オーダ情報は、撮影対象の患者氏名、患者ＩＤ、生年月日、性別等の患者情報や、モダリティ、撮影部位、手技、方向、体位、撮影条件等の検査情報等を含む。
【００１７】
ＲＩＳ２０は、放射線科部門内における診療予約、診断結果のレポート、実績管理、材料在庫管理等の情報管理を行う。ＲＩＳ２０は、電子カルテ端末１０から受信した撮影オーダ情報をモダリティ３０及び画像サーバ４０に送信する。また、ＲＩＳ２０は、他装置から受信するデータの取得要求に応じて、撮影オーダ情報に含まれる患者情報及び検査情報を当該他装置に送信する。
【００１８】
図２に、ＲＩＳ２０の機能的構成を示す。図２に示すように、ＲＩＳ２０は、制御部２１、操作部２２、表示部２３、通信部２４、ＲＯＭ（Read Only Memory）２５、記憶部２６を備えて構成され、各部はバス２７により接続されている。
【００１９】
制御部２１は、ＣＰＵ（Central Processing Unit）、ＲＡＭ（Random Access Memory）等から構成され、ＲＩＳ２０の各部の処理動作を統括的に制御する。具体的には、ＣＰＵは、操作部２２から入力される操作信号又は通信部２４により受信される指示信号に応じて、ＲＯＭ２５に記憶されている各種処理プログラムを読み出し、ＲＡＭ内に形成されたワークエリアに展開し、当該プログラムとの協働により各種処理を行う。
【００２０】
操作部２２は、カーソルキー、数字入力キー、及び各種機能キー等を備えたキーボードと、マウス等のポインティングデバイスを備えて構成され、キーボードに対するキー操作やマウス操作により入力された操作信号を制御部２１に出力する。
【００２１】
表示部２３は、ＬＣＤ（Liquid Crystal Display）により構成され、制御部２１から入力される表示データに基づいて各種画面を表示する。
【００２２】
通信部２４は、ＬＡＮ（Local Area Network）アダプタ、ルータ、ＴＡ（Terminal Adapter）等を備え、通信ネットワークＮを介して接続された電子カルテ端末１０、モダリティ３０、読影オーダ生成装置５０等の外部機器との間でデータの送受信を行う。
【００２３】
ＲＯＭ２５は、不揮発性の半導体メモリ等により構成され、制御プログラム、当該プログラムの実行に必要なパラメータやファイル等を記憶している。
【００２４】
記憶部２６は、ハードディスク等の記憶装置であり、電子カルテ端末１０により生成された撮影オーダ情報等を記憶する。
【００２５】
モダリティ３０は、ＲＩＳ２０から受信した撮影オーダ情報に従って、患者を撮影し、医用画像の画像データ（以下、医用画像データという。）を生成する。また、モダリティ３０は、前記撮影オーダ情報に基づいて、前記医用画像データに関する付帯情報を生成する。そして、モダリティ３０は、医用画像データに付帯情報を付帯させて、ＤＩＣＯＭ規格に則ったＤＩＣＯＭ画像データを生成し、画像サーバ４０に送信する。付帯情報は、患者情報、検査情報、シリーズ情報等を含む。患者情報は、患者の氏名、患者ＩＤ、生年月日、性別等の患者に関する情報である。検査情報は、検査を識別する検査ＩＤ、検査日、検査時刻、受付番号、検査部位、撮影方向、体位、依頼医師、依頼科等の撮影に関する情報である。シリーズ情報とは、一つの検査の中で生成されるモダリティ３０毎の一連の医用画像の単位（シリーズ）を示すシリーズＩＤやモダリティ３０の種別を含むデータである。モダリティ３０としては、ＣＲ装置、ＣＴ装置、ＭＲＩ装置、内視鏡装置、超音波診断装置等、様々な種類の医用画像を撮影するモダリティが適用可能である。
【００２６】
画像サーバ４０は、ＤＩＣＯＭ画像データ等を保存し、管理する。画像サーバ４０は、他装置から受信するデータ取得要求に応じて、ＤＩＣＯＭ画像データ、ＤＩＣＯＭ画像データの付帯情報に含まれる患者情報、検査情報等を当該他装置に送信する。
【００２７】
図３に、画像サーバ４０の機能的構成を示す。図３に示すように、画像サーバ４０は、制御部４１、操作部４２、表示部４３、通信部４４、ＲＯＭ（Read Only Memory）４５、記憶装置４６を備えて構成され、各部はバス４７により接続されている。
【００２８】
制御部４１は、ＣＰＵ（Central Processing Unit）、ＲＡＭ（Random Access Memory）等から構成され、画像サーバ４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００２９】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。
【００３０】
表示部４３は、ＬＣＤ（Liquid Crystal Display）により構成され、制御部４１から入力される表示データに基づいて各種画面を表示する。
【００３１】
通信部４４は、ＬＡＮ（Local Area Network）アダプタ、ルータ、ＴＡ（Terminal Adapter）等を備え、通信ネットワークＮを介して接続されたＲＩＳ２０、モダリティ３０、読影オーダ生成装置５０、読影端末６０等の外部機器との間でデータの送受信を行う。
【００３２】
ＲＯＭ４５は、不揮発性の半導体メモリ等により構成され、制御プログラム、当該プログラムの実行に必要なパラメータやファイル等を記憶している。
【００３３】
記憶装置４６は、ハードディスク等から構成され、モダリティ３０により生成されたＤＩＣＯＭ画像データ等を記憶する。
【００３４】
読影オーダ生成装置５０は、ＲＩＳ２０から患者情報及び検査情報を取得し、患者情報及び検査情報に基づいて読影オーダ情報を生成する。また、読影オーダ生成装置５０は、生成した読影オーダ情報を読影端末６０に送信する。
【００３５】
図４に、読影オーダ生成装置５０の機能的構成を示す。図４に示すように、読影オーダ生成装置５０は、制御部５１、操作部５２、表示部５３、通信部５４、ＲＯＭ５５、記憶部５６を備えて構成され、各部はバス５７により接続されている。
【００３６】
制御部５１は、ＣＰＵ、ＲＡＭ等から構成され、読影オーダ生成装置５０の各部の処理動作を統括的に制御する。具体的には、ＣＰＵは、操作部５２から入力される操作信号又は通信部５４により受信される指示信号に応じて、ＲＯＭ５５に記憶されている各種処理プログラムを読み出し、ＲＡＭ内に形成されたワークエリアに展開し、当該プログラムとの協働により各種処理を行う。
【００３７】
操作部５２は、カーソルキー、数字入力キー、及び各種機能キー等を備えたキーボードと、マウス等のポインティングデバイスを備えて構成され、キーボードに対するキー操作やマウス操作により入力された操作信号を制御部５１に出力する。
【００３８】
表示部５３は、ＬＣＤにより構成され、制御部５１から入力される表示データに基づいて各種画面を表示する。
【００３９】
通信部５４は、ＬＡＮアダプタ、ルータ、ＴＡ等を備え、通信ネットワークＮを介して接続された画像サーバ４０、読影端末６０等の外部機器との間でデータの送受信を行う。
【００４０】
ＲＯＭ５５は、不揮発性の半導体メモリ等により構成され、制御プログラム、当該プログラムの実行に必要なパラメータやファイル等を記憶している。
【００４１】
記憶部５６は、ハードディスク等の記憶装置であり、緊急度設定テーブル５６１、読影医師設定テーブル５６２、ワークアイテム設定テーブル５６３等のデータを記憶する。
【００４２】
緊急度設定テーブル５６１は、撮影が行われたモダリティと緊急度とを対応付けるテーブルであり、各モダリティに対して「３時間以内」、「１日以内」、「３日以内」等の読影期限が緊急度として設定されている。例えば、救急外来で使用されるモダリティに対しては、「３時間以内」に読影を完了するように緊急度が設定される。
【００４３】
読影医師設定テーブル５６２は、撮影が行われたモダリティ、検査部位及び曜日と読影医師とを対応付けるテーブルであり、各モダリティ、検査部位及び曜日の組み合わせに対して読影医師が設定されている。例えば、モダリティや検査部位毎の専門分野に応じた医師や、各医師の勤務状況に応じて出勤予定の医師が設定される。
【００４４】
ワークアイテム設定テーブル５６３は、撮影が行われたモダリティ及び検査部位とワークアイテムとを対応付けるテーブルであり、各モダリティ及び検査部位の組み合わせに対してワークアイテムが設定されている。ワークアイテムとは、読影オーダの種類を示すもので、画像を診断して気付いたことを記述する「解釈」、二人の医師が個別に同一の医用画像を読影する「二重読影」等がある。例えば、ＰＥＴ（Positron Emission Tomography）検査の場合等、高度なスキルが必要とされる場合には「二重読影」が設定される。
【００４５】
読影端末６０は、医用画像を表示するモニタを有し、医師が医用画像の読影レポートを作成することを目的として設置されるＰＣ（Personal Computer）等の端末である。読影端末６０は、読影オーダ生成装置５０から受信した読影オーダ情報に従って、読影対象となる医用画像データ及び付帯情報を画像サーバ４０から取得し、モニタに表示する。
【００４６】
次に、動作を説明する。
図５及び図６は、医用画像システム１００における処理を示すラダーチャートである。具体的に、図５は、読影オーダ情報の生成及び送信処理等、図６は、ワークリスト表示処理、ＤＩＣＯＭ画像データ取得処理等を示す。
【００４７】
図５に示すように、まず、ＲＩＳ２０において、通信部２４を介して電子カルテ端末１０から撮影オーダ情報が受信される（ステップＳ１）。
【００４８】
読影オーダ生成装置５０では、制御部５１により、予め定められた検索条件に合致する患者情報及び検査情報を取得するための取得要求が通信部５４を介してＲＩＳ２０に送信される（ＨＬ７ Query）（ステップＳ２）。検索条件は、例えば、「本日」の「ＣＲ」による検査等、検査日やモダリティによって定められている。読影オーダ生成装置５０から画像サーバ４０への取得要求は、５分おき等、定期的に行われる。尚、当該取得要求は、ＤＩＣＯＭ Queryでもよい。
【００４９】
ＲＩＳ２０では、通信部２４を介して読影オーダ生成装置５０から患者情報及び検査情報の取得要求が受信されると、制御部２１により、検索条件に基づいて、記憶部２６に記憶されている撮影オーダ情報に含まれる患者情報及び検査情報が検索される（ステップＳ３）。なお、前回の取得要求を受信してから新たに追加された撮影オーダ情報に含まれる患者情報及び検査情報に対してのみ検索が行われる。図７（ａ）及び（ｂ）に、検査日を「２００７年８月１２日」、モダリティを「ＣＲ」として検索した結果の例を示す。図７（ａ）及び（ｂ）に示すように、患者ＩＤ、患者名、生年月日、性別、アレルギー、感染症等の患者情報と、依頼科、依頼医師、受付番号（検査に対応）、検査日、検査記述、モダリティ、部位、造影剤、臨床診断等の検査情報とが抽出される。そして、制御部４１により、検索条件に合致する患者情報及び検査情報が通信部４４を介して読影オーダ生成装置５０に送信される（ステップＳ４）。
【００５０】
読影オーダ生成装置５０では、制御部５１により、通信部５４を介してＲＩＳ２０から患者情報及び検査情報が取得される（ステップＳ５）。そして、制御部５１により、患者情報及び検査情報に基づいて、読影オーダ情報生成処理が行われる（ステップＳ６）。
【００５１】
ここで、図８を参照して、読影オーダ情報生成処理を説明する。
まず、制御部５１により、読影オーダ情報のオーダ番号が採番され（ステップＴ１）、ＲＩＳ２０から取得した患者情報及び検査情報の内容が読影オーダ情報として記述される（ステップＴ２）。
【００５２】
次に、制御部５１により、検査情報に含まれるモダリティに基づいて、緊急度設定テーブル５６１が参照され、撮影が行われたモダリティに対応する緊急度が設定される（ステップＴ３）。
【００５３】
次に、制御部５１により、検査情報に含まれるモダリティ、検査部位及び検査日に基づいて、読影医師設定テーブル５６２が参照され、撮影が行われたモダリティ、検査部位及び曜日に対応する読影医師が設定される（ステップＴ４）。
【００５４】
次に、制御部５１により、検査情報に含まれるモダリティ及び検査部位に基づいて、ワークアイテム設定テーブル５６３が参照され、撮影が行われたモダリティ及び検査部位に対応するワークアイテムが設定される（ステップＴ５）。
【００５５】
図９に、図７（ａ）に示す検索結果（患者情報及び検査情報）に基づいて生成された読影オーダ情報の例を示す。
【００５６】
読影オーダ情報生成処理の後、読影オーダ生成装置５０の制御部５１により、読影オーダ情報が通信部５４を介して読影端末６０に送信される（ステップＳ７）。
以上で、読影オーダ情報の生成及び送信処理等が終了する。
【００５７】
次に、図６に示すように、読影端末６０では、読影オーダ情報に基づいて、読影すべき医用画像のワークリストがモニタに表示される（ステップＳ８）。読影医は、表示されているワークリストの中から読影対象画像を選択する。そして、読影端末６０により、選択された読影対象画像のＤＩＣＯＭ画像データを取得するための取得要求が画像サーバ４０に送信される（ステップＳ９）。
【００５８】
画像サーバ４０では、通信部４４を介して読影端末６０からＤＩＣＯＭ画像データの取得要求が受信されると、制御部４１により、ＤＩＣＯＭ画像データが通信部４４を介して読影端末６０に送信される（ステップＳ１０）。
【００５９】
読影端末６０では、ＤＩＣＯＭ画像データが取得され（ステップＳ１１）、モニタに医用画像が表示される（ステップＳ１２）。そして、読影医の操作入力により、読影レポートが作成される（ステップＳ１３）。
以上で、ワークリスト表示処理、ＤＩＣＯＭ画像データ取得処理等が終了する。
【００６０】
以上、本実施の形態によると、読影オーダ生成装置５０は、撮影オーダ情報に含まれる患者情報及び検査情報を取得するための取得要求をＲＩＳ２０に送信し、ＲＩＳ２０から患者情報及び検査情報を取得する。そして、読影オーダ生成装置５０は、当該取得した患者情報及び検査情報に基づき、読影オーダ情報を生成し読影端末６０に送信する。
【００６１】
そのため、読影医に読影対象を通知するための紙の伝票の作成、ＰＣ上で読影オーダを作成するためのユーザ操作等の手間を無くすことができる。更に、自動で読影オーダ情報を生成するため、手入力による誤入力を避けることができる。
【００６２】
また、読影医は、読影オーダ情報に含まれる、使用した造影剤等の情報を参照することで、精度の高い読影を行うことができる。
【００６３】
尚、上記実施の形態における記述は、本発明に係る医用画像システムの一例であり、これに限定されるものではない。システムを構成する各装置の細部構成及び細部動作に関しても適宜変更可能である。
【００６４】
例えば、以下のような構成としてもよい。
電子カルテ端末１０は、他装置から受信するデータの取得要求に応じて、撮影オーダ情報に含まれる患者情報及び検査情報を当該他装置に送信する。読影オーダ生成装置５０は、撮影オーダ情報に含まれる患者情報及び検査情報を取得するための取得要求を電子カルテ端末１０に送信し、電子カルテ端末１０から患者情報及び検査情報を取得する。そして、読影オーダ生成装置５０は、当該取得した患者情報及び検査情報に基づき、読影オーダ情報を生成し読影端末６０に送信する。
【図面の簡単な説明】
【００６５】
【図１】本発明の一実施形態における医用画像システムのシステム構成図である。
【図２】ＲＩＳのブロック図である。
【図３】画像サーバのブロック図である。
【図４】読影オーダ生成装置のブロック図である。
【図５】医用画像システムにおいて実行される処理を示すラダーチャートである。
【図６】医用画像システムにおいて実行される処理を示すラダーチャートである。
【図７】撮影オーダ情報に含まれる患者情報及び検査情報の検索結果のデータ構成図である。
【図８】読影オーダ情報生成処理のフローチャートである。
【図９】読影オーダ情報のデータ構成図である。
【符号の説明】
【００６６】
１０      電子カルテ端末
２０      ＲＩＳ
２１      制御部
２２      操作部
２３      表示部
２４      通信部
２５      ＲＯＭ
２６      記憶部
２７      バス
３０      モダリティ
４０      画像サーバ
４１      制御部
４２      操作部
４３      表示部
４４      通信部
４５      ＲＯＭ
４６      記憶装置
４７      バス
５０      読影オーダ生成装置
５１      制御部
５２      操作部
５３      表示部
５４      通信部
５５      ＲＯＭ
５６      記憶部
５７      バス
６０      読影端末
１００    医用画像システム
５６１    緊急度設定テーブル
５６２    読影医師設定テーブル
５６３    ワークアイテム設定テーブル
Ｎ        通信ネットワーク
【図１】
2009089722.tif 000003
【図２】
2009089722.tif 000004
【図３】
2009089722.tif 000005
【図４】
2009089722.tif 000006
【図５】
2009089722.tif 000007
【図６】
2009089722.tif 000008
【図７】
2009089722.tif 000009
【図８】
2009089722.tif 000010
【図９】
2009089722.tif 000011